(57)【特許請求の範囲】
【請求項１】
相手先名を示す第１の情報および相手先名に対応する電話番号を示す第２の情報を入力する操作部と、
前記第１の情報および前記第２の情報を格納するメモリと、
前述する第１の情報一つに対してメモリ内にある任意の複数の前述する第２の情報を対応して前記メモリに格納する制御部と、
前述された制御部に接続される入力部とを有し、
前記メモリに少なくとも２以上の第１の情報が格納されている状態で、
前記操作部により第１の情報を２つ選択し、前記入力部を押下することで、
前記制御部が
他方の第１の情報に対応する前記第２の情報である他方の電話番号情報を、
一方の第１の情報に対応する前記第２の情報として登録するとともに、
前記他方の第１の情報を消去することを特徴とするデータ格納制御装置。
【請求項２】
相手先名を示す第１の情報および相手先名に対応する電話番号を示す第２の情報を入力する操作部と、
前記第１の情報および前記第２の情報を格納するメモリと、
前述する第１の情報一つに対してメモリ内にある任意の複数の前述する第２の情報を対応して前記メモリに格納する制御部と、
前述された制御部に接続される入力部とを有し、
前記メモリに少なくとも２以上の第１の情報が格納されている状態で、
前記操作部により第１の情報を２つ選択し、前記入力部を押下することで、
前記制御部が
他方の第１の情報に対応する前記第２の情報である他方の電話番号情報を、
一方の第１の情報に対応する前記第２の情報として登録するとともに、
前記他方の第１の情報を消去することを特徴とする携帯電話装置。
【請求項３】
第１の情報を入力し、入力された前記第１の情報をメモリに格納し、
格納された前記第１の情報に対応する第２の情報として電話番号情報を入力し、
入力された前記第２の情報を前記格納された第１の情報に対応して前記メモリに格納し、
更に、前記第１の情報に対応する前記第２の情報を個々に関連付けて前記メモリに格納し、
複数の前記第１の情報、及びそれらに対応してそれぞれ複数の前記第２の情報がある時には、
操作部により、第１の情報を２つ選択し、入力部を押下することで、
制御部が
他方の第１の情報に対応する前記第２の情報である他方の電話番号情報を、
一方の第１の情報に対応する前記第２の情報として登録するとともに、
前記他方の第１の情報を消去することを特徴とするデータ格納制御方法。
【発明の詳細な説明】
【０００１】
【発明の属する技術分野】
本発明は、携帯電話装置に関し、特に、電話帳機能を有する携帯電話装置に関する。
【０００２】
【従来の技術】
従来、携帯電話装置は、予め電話番号を登録しておき、必要なときに登録された電話番号を表示する電話帳機能を有している。例えば、発呼する場合に、この登録された電話番号を表示部に表示して、オフフック操作を行うことにより、相手先への発信を可能にしている。
【０００３】
また、一人の相手先に対して複数の電話番号が存在する場合があるため、一人の相手先名に対して複数の電話番号が登録できるようになっている。なお、複数の電話番号とは、例えば、Ａさんの自宅の電話番号、会社の電話番号、携帯電話の番号等である。
【０００４】
図１に、従来の表示部への登録された名前と電話番号とを表示した表示例を示す。図１では、相手先名「佐藤」に対して３つの電話番号が登録されていることを前提としている。この表示された状態で、３つの電話番号のうちいずれか１つを選択してオフフック操作を行うことにより、選択された電話番号へ発呼を行うことが可能となる。
【０００５】
このように、従来の携帯電話装置では、一人の名前に対して複数の電話番号を登録できるよう、メモリの構成上、予め一人に対して登録可能な件数を固定して設定している。例えば、一人に対して最大３件登録可能なように設定している。この場合、１件しか登録しないと、他の２件分についてはメモリエリアの未使用状態となる。図２（ａ）は、この状態におけるメモリエリアの使用例を示している。
【０００６】
図２（ａ）において、登録名前メモリエリア５１には、「佐藤」が登録され、登録名前メモリエリア５１に対応して設けられた番号メモリエリア５２乃至５４のうち、番号メモリエリア５２のみ電話番号「０３−０１２−３４５６」が登録されている。
【０００７】
一方、一人に対して４件以上の電話番号を登録する場合には、２名分のメモリエリアを使用することになる。すなわち、図２（ｂ）に示すように、登録メモリエリア５１に対応する番号メモリエリア５２乃至５４は、使用されているので、新たに登録名前メモリエリア６１に「佐藤」と登録して、この登録名前メモリエリア６１に対応する番号メモリエリア６２乃至６４に４件目以降の電話番号を登録することになる。図２（ｂ）では、番号メモリエリア６３および６４が空き状態となっている。
【０００８】
図３は、メモリの格納状態を説明するための図である。
【０００９】
図３において、各名前データ７２は、１文字２バイトの漢字データ９文字分の格納エリアで、１８バイトを使用し、各電話番号データ７３は、２数字１バイトの番号データ２４桁分の格納エリアで、１２バイトを使用するものとする。各アドレス７１は、最大登録件数を６００とした場合、２バイトを必要とする。なお、アドレス７１は、名前データ７２に対応する電話番号データが格納されているアドレスを示している。  状態フラグ７４は、電話番号データが存在するか否かをフラグ「１」、「０」で示している。
【００１０】
【発明が解決しようとする課題】
この種の携帯電話装置では、一人の名前に対して１つの電話番号を格納するために、アドレス２バイト、名前データ１８バイト、および電話番号データ１２バイトの合計３２バイトを必要とするが、予め一人に対して３件の電話番号データ分のエリアが確保されているので、一人に対して、９６バイトを要することになる。そのため、図３の名前Ａに対して、一つの電話番号データしか格納されていなくても、２つの電話番号に対する未使用エリア（名前データ部、電話番号データ部およびアドレス部）が確保されることになる。したがって、２００名登録すると、各名前に対して３件の電話番号を登録していないと、メモリを有効に使用することができない。
【００１１】
また、上述の例の場合、一人に対して１件の電話番号を登録しない場合でも、２００名までしか登録できないので、それ以上の人に対して登録を行うことができなくなってしまう。
【００１２】
本発明の目的は、上述した課題を解決し、改良された携帯電話装置を提供することにある。
【００１３】
本発明の他の目的は、電話帳機能のメモリエリアを有効に使用し得る携帯電話装置を提供することにある。
【００１４】
本発明のさらに他の目的は、登録される電話番号の数に応じて、登録可能な相手先の数を制御可能な携帯電話装置を提供することにある。
【００１５】
【課題を解決するための手段】
上述した目的を達成するために、本願発明による格納制御装置は、第１の情報および第２の情報を入力する操作部と、第１の情報および該第１の情報に対応する第２の情報を格納するメモリと、一つの第１の情報に対して任意の複数の第２の情報を対応してメモリに格納する制御部とを有し、メモリに格納可能な第１の情報または第２の情報の最大数が、予め規定されないことを特徴とする。
【００１６】
第１の情報が相手先名であり、第２の情報が相手先名に対応する電話番号であり、携帯情報端末に適用されることが好ましい。
【００１７】
メモリは、複数の第２の情報を格納したアドレス情報をも格納し、アドレス情報は、先に登録された第２の情報および後に登録された第２の情報をそれぞれ格納したアドレスを示すことが望ましい。
また、本発明による情報格納制御方法は、第１の情報を入力し、入力された第１の情報をメモリに格納し、格納された第１の情報に対応する第２の情報を入力し、入力された第２の情報を格納された第１の情報に対応してメモリに格納し、さらに、第１の情報に対応する複数の第２の情報を個々に関連づけてメモリに格納することを特徴とする。
【００１８】
【発明の実施の形態】
以下、図面を参照して、本発明の好適な実施例について説明する。
【００１９】
図４は、本発明の好適な一実施例を示す構成ブロック図である。同図では、移動体通信装置の一例である携帯電話装置の主要部を示している。
【００２０】
図４において、無線部１にて図示せぬ基地局から着信した場合、制御部２は、ＲＯＭ３に格納された固有の識別番号（ＩＤ）と着信信号に含まれるＩＤとを比較し、一致すると、報知手段としてのスピーカー４を鳴音させる。携帯者によりこの着信報知に対してキー操作部５の開始（発信）ボタン１１（図５参照）が操作されると、制御部２は、無線部１から着信応答信号を送出し、送受話部５を用いて通話を開始する。通話を終了する場合には、終話ボタン１２を操作することにより、制御部２にて終話処理が実行される。
【００２１】
一方、発信する場合には、キー操作部５のテンキー１３から相手先がダイヤルされ開始ボタン１１が操作されると、制御部２は無線部１から発呼信号を送出する。ダイヤルされた相手先の電話番号は、表示部８に確認のため表示される。相手側と回線接続され、応答があると、通話が開始される。
【００２２】
メモリとしてのＲＡＭ７には、好ましくはメモリダイヤルや短縮ダイヤルが登録されている。これらは、相手先名に対応して相手先の電話番号を予め登録しておくもので、発信の際にテンキーにて相手先の電話番号を入力しなくても、ＲＡＭ７から希望する相手先を選択することにより、この選択された相手先電話番号に発信を行うことが可能となる。
【００２３】
例えば、発呼の際、キー操作部５のコールボタン１６の操作により、登録された相手先およびこの相手先に対応する電話番号を表示部８に表示し、テンキー１３等を用いて希望する相手先および電話番号を選択するためにスクロールさせ、開始ボタン１１の押下により発信を行うことができる。
【００２４】
登録時には、テンキー１３を操作することにより、相手先名およびこの相手先に対応する電話番号を入力し、メモリボタン１５の押下によりＲＡＭ７内に登録を行うことができる。さらに、既に登録した相手先に対して、他の電話番号を追加登録することができる。この追加登録は、特殊ボタン１４を操作することにより実行される。すなわち、既に登録された相手先名を表示部８に表示中に特殊ボタン１４を押下することにより、追加登録モードとなり、テンキーを用いて電話番号を入力し、メモリボタン１５を押下すると、同一相手先名に対して新たな電話番号が追加登録される。
【００２５】
図６は、本発明のメモリの使用状態（格納状態）を説明するための概念図である。
【００２６】
図６において、各名前データ２１は、１文字２バイトの漢字データ９文字分の格納エリアで、１８バイトを使用する。名前データは必ずしも漢字データである必要はなく、アルファベット等、名前を示す記号でも良い。各電話番号データ２３は、２数字１バイトの番号データ２４桁分の格納エリアで、１２バイトを使用するものとする。各アドレス２２は、電話番号のアドレスを記憶するとともに、次に登録されている電話番号アドレスを格納している。すなわち、本願発明では、１つの登録相手先名に対して任意の件数の電話番号登録が可能であるために、登録された相手先名に対して複数の電話番号がランダムに（任意のアドレスに）登録される。そのため、１つの相手先名がどの電話番号に対応するのか、すなわち、どのアドレスに記憶された電話番号に対応するのか分かるように記憶する必要がある。
【００２７】
具体的に述べると、相手先名Ａに対して、Ｍ個の電話番号を登録した場合、アドレスＡ１には、電話番号Ａ１のアドレスと、後で入力された電話番号Ａ２のアドレスが格納される。また、アドレスＡ２には、電話番号Ａ２のアドレスと、後で入力された電話番号Ａ３のアドレスが格納される。電話番号の最大登録件数が６００件である場合を考えると、アドレスＡ１には、電話番号Ａ１のアドレスＡ１格納分および電話番号Ａ２のアドレスＡ２格納分の各１０ビットが必要であるので、合計２０ビットとなり、アドレスとしては、３バイト必要となる。したがって、１つの登録済みの相手先名に対して電話番号を追加登録する場合には、アドレス２２を３バイト、電話番号２３を１２バイトの、合計１５バイトのメモリ使用量となる。
【００２８】
例えば、名前Ａの電話番号Ａ１、名前Ｂの電話番号Ｂ１、名前Ａの電話番号Ａ２の順に登録を行った場合について説明する。まず、予め定められたキー操作により、登録モードを選択し、相手先名Ａおよび電話番号Ａ１を入力して、メモリボタン１５を押下すると、相手先名Ａおよび電話番号Ａ１が登録される。このとき、アドレスＡ１には、電話番号Ａ１が格納されたアドレスだけが格納されている。次に、相手先名Ｂおよび電話番号Ｂ１を入力して、メモリボタン１５を押下すると、相手先名Ｂおよび電話番号Ｂ１が登録される。このとき、アドレスＢ１には、電話番号Ｂ１が格納されたアドレスだけが格納されている。そして、これらが格納されている状態で、相手先名Ａに対して電話番号Ａ２を追加登録する場合には、まず、コールボタン１６の操作により、相手先名Ａを表示部１８に表示させる。相手先名Ａが表示された状態で、特殊ボタン１４が操作されると、追加登録モードとなる。このモードにおいて、電話番号Ａ２が入力され、メモリボタン１５が操作されると、電話番号Ａ２がＲＡＭ７に格納される。このとき、アドレスＡ２には、電話番号Ａ２が格納されたアドレスが格納され、アドレスＡ１には、電話番号Ａ１のアドレスおよび電話番号Ａ２のアドレスが格納される。
【００２９】
なお、上述した実施例では、コールボタンの操作により相手先名を表示した状態で追加登録モードとしているが、コールボタンの操作に限らず、相手先名が表示された状態で、特殊ボタンを操作することにより追加登録モードに移行することが好ましい。
【００３０】
また、相手先名Ａに対して電話番号Ａ１およびＡ２を続けて入力して登録する場合には、電話番号Ａ１の入力後にメモリボタン１５を操作し、続けて（好ましくは、特殊ボタンを押下して追加登録モードとして）電話番号Ａ２を入力してメモリボタン１５を操作することにより、アドレスＡ１には、電話番号Ａ１のアドレスが格納され、アドレスＡ２には、電話番号Ａ１および電話番号Ａ２のアドレスが格納される。
【００３１】
このように、本願発明では、随時電話番号を登録していくことにより、状態フラグ２４は、全て使用中を示すことになる。
【００３２】
なお、携帯電話機は図４に示された構成以外にも他の構成を有しているが、本発明と特に関係しない部分については、その説明を省略している。
【００３３】
また、図４では、携帯電話機を用いたが、本発明は、ページャーや自動車電話、コードレス電話、第二世代コードレス電話ＰＨＳ等の移動体通信装置であれば、適用可能であり、さらに、移動体通信装置以外の、固定通信装置や携帯情報端末、パーソナルコンピュータ等にも適用可能である。
【００３４】
図７は、本発明の好適な新規登録の一例を示す動作フローチャートである。
【００３５】
図７において、まず、予め定められたキー操作により登録モードが選択されたか否かが、制御部２にて判断される（ステップＳ１０１）。登録モードであると判断されると（ステップＳ１０１、ＹＥＳ）、続いて、登録される名前がテンキー１３等の操作により入力され（ステップＳ１０２）、入力された名前が表示部８に表示される（ステップＳ１０３）。名前の入力操作はメモリボタン１５が押下されるまで継続するが（ステップＳ１０４、ＮＯ）、メモリボタン１５が押下されると（ステップＳ１０４、ＹＥＳ）、メモリとしてのＲＡＭ７に入力された名前が格納される（ステップＳ１０５）。
【００３６】
次に、電話番号が入力され（ステップＳ１０６）、表示されている名前とともに入力された電話番号が表示される（ステップＳ１０７）。電話番号の入力は、メモリボタン１５が押下されるまで継続するが（ステップＳ１０８、ＮＯ）、メモリボタン１５が押下されると（ステップＳ１０８、ＹＥＳ）、名前に対応して電話番号がＲＡＭ７に格納される（ステップＳ１０９）。
【００３７】
電話番号の格納後、特殊ボタン１４が押下されなければ（ステップＳ１１０、ＮＯ）、メモリボタン１５の押下（ステップＳ１１１、ＹＥＳ）により登録モードを終了する。一方、ステップＳ１１０にて特殊ボタン１４が押下されると、同一名前に対する電話番号の追加登録モードに移行する（ステップＳ１１２）。
【００３８】
このように、新規に名前が格納されると、図６の各名前に対する１つの電話番号が対応して格納されていく。
【００３９】
図８は、登録モード以外のモードから、電話番号追加モードへ移行する処理を説明するためのフローチャートである。
【００４０】
図８において、メモリダイヤルを表示する場合等のコールボタン１６が押下されると（ステップＳ２０１、ＹＥＳ）、ＲＡＭ７に格納された名前が表示部８に表示される（ステップＳ２０２）。表示された名前が希望する名前ではない場合には、希望する名前が表示されるまで、テンキー等の操作によりスクロール表示され、希望する名前を表示する（ステップＳ２０３、２０４）。希望する名前が表示された状態で、特殊ボタン１４が押下されることによって（ステップＳ２０５、ＹＥＳ）、追加登録処理を実行するモードへ移行する（ステップＳ２０６）。ステップＳ２０５の処理にて、特殊ボタンが押下されない場合には、追加登録モードには移行せず、操作されたボタンに応じた処理が実行される。
【００４１】
図９は、本発明の電話番号の追加登録処理を説明するための動作フローチャートである。
【００４２】
図９において、図７または図８の追加登録処理が選択された場合、追加登録モードへ移行する（ステップＳ３０１）。この状態で、追加すべき電話番号が入力され（ステップＳ３０２）、表示されている名前とともに入力された電話番号が表示される（ステップＳ３０３）。電話番号の表示においては、今回の電話番号のみが表示されても良いが、同一電話番号の入力を避けるため、前回の電話番号も表示されることが好ましい。
【００４３】
電話番号の入力は、メモリボタン１５の押下まで継続され、メモリボタン１５が押下されると（ステップＳ３０４、ＹＥＳ）、同一の名前に対して新たな電話番号が新たなアドレスに追加登録される（ステップＳ３０５）。また、この登録に際して、前回登録したアドレス情報（図３の参照番号２２）に、前回格納した電話番号のアドレスおよび今回格納した電話番号のアドレスを格納する（ステップＳ３０６）。
【００４４】
電話番号の格納後、特殊ボタン１４が押下されると（ステップＳ３０７、ＹＥＳ）、電話番号の追加登録処理が継続される（ステップＳ３０１乃至３０６）。特殊ボタン１４が押下されずにメモリボタン１５が押下されれば（ステップＳ３０８、ＹＥＳ）、追加登録モードを終了する。
【００４５】
次に、これらの新規および追加の登録について具体的な例を用いて説明する。
【００４６】
相手先名として「佐藤」を入力し、メモリボタン１５が押下されると、メモリに「佐藤」が登録される。続いて、電話番号「０３０３３３３３３３」と入力して「佐藤」に対応して電話番号「０３０３３３３３３３」が登録される。アドレスＡ１には、この電話番号が格納されたアドレスが格納される。この状態において、連続して、電話番号「０１０７６５４３２１」を登録する場合には、特殊ボタン１４を押下し、電話番号「０１０７６５４３２１」が入力され、メモリボタン１５が押下されると、新たな電話番号「０１０７６５４３２１」が新たなアドレスに相手先名「佐藤」に対応してメモリに格納される（アドレス情報Ａ２には電話番号「０１０７６５４３２１」を格納したアドレスが格納される）。このとき、アドレス情報Ａ１には、２つの電話番号が格納されたアドレスが格納されることになる。
【００４７】
さらに、継続して電話番号「０３０１１１１１１１」を登録する場合には、特殊ボタン１４を押下した後、この電話番号を入力してメモリボタン１５を押下することにより、電話番号「０３０１１１１１１１」が新たなアドレスに格納され、アドレス情報Ａ３には、この電話番号が格納されたアドレスが格納される。そして、アドレス情報Ａ２には、電話番号「０１０７６５４３２１」と電話番号「０３０１１１１１１１」が格納されたアドレスが格納されることになる。
【００４８】
次に、これら３つの電話番号が登録され、且つ使用されていた状態で、全く新たに、電話番号「０３０１２３４５６７」を追加する場合には、コールボタン１６等の操作により「佐藤」を表示させた状態で、特殊ボタン１４を押下することにより、追加登録モードに移行し、電話番号「０３０１２３４５６７」を入力して、メモリボタン１５を押下する。これに応答して、電話番号「０３０１２３４５６７」が新たなアドレスに格納され、前回の電話番号に対応するアドレス情報Ａ３には、前回の電話番号のアドレスおよび今回の電話番号のアドレスが格納される。
【００４９】
このように、本願発明では、図１０にて従来技術とメモリの使用量について対比しているように、はるかにメモリ使用量を削減することが可能となる。さらに、逆に、多くの電話番号および多数の人に対する電話番号を登録することが可能となる。
【００５０】
図１１（ａ）および（ｂ）は、具体的なメモリマップを示す。図１１（ａ）は、名前エリアであり、図１１（ｂ）は、電話番号エリアである。すなわち、メモリは、名前エリアと電話番号エリアの２つの領域に別れている。名前エリアにおいては、各メモリアドレスＸ１〜Ｘｍ（ｍは任意の整数）に対して、名前と、この名前に対応する電話番号の記憶されている先頭アドレスが格納される。図１１１（ａ）では、“Ｓａｔｏ”に対して、２件の電話番号が登録されている。
【００５１】
電話番号エリアにおいては、メモリアドレスＹ１〜Ｙｎ（ｎは任意の整数）に対して、同一名前に対する電話番号が記憶されている次のアドレスと、電話番号とが格納される。ｎはｍより大であることが好ましいが、設計者によって設定される。
【００５２】
図１２は、制御部によるメモリへの格納制御を説明するための動作フローチャートである。図１２において、名前と電話番号の登録に際し、名前エリアのアドレスＸｔと、電話番号エリアのアドレスＹｕがセットされる（ステップＳ４０１）。最初の時には、“ｔ”および“ｕ”には、１がセットされる。アドレスＸｔには、名前とこの名前に対応する電話番号が格納される電話番号エリアのアドレスＹｕとが格納される（ステップＳ４０２）。最初の登録時には、名前エリアのアドレスＸ１に、名前と電話番号エリアアドレスＹ１とが格納される。続いて、電話番号エリアのアドレスＹｕに、名前に対応する電話番号が格納される（ステップＳ４０３）。１つの名前に対して、１つの電話番号だけが登録される場合には（ステップＳ４０４、ＹＥＳ）、電話番号エリアの次データアドレスには、続く電話番号がないことを示すエンドコード（実施例では、“−”）が登録される（ステップＳ４０５）。そして、“ｔ”および“ｕ”は、それぞれ“１”カウントアップされ（ステップＳ４０６）、次の登録を待つ。
【００５３】
一方、１つの名前に対して、複数の電話番号を登録する場合には（ステップＳ４０４、ＮＯ）、“ｕ”を“１”カウントアップし（ステップＳ４０７）、電話番号エリアの次データアドレスにＹｕ＋１を登録する（ステップＳ４０８）。そして、アドレスＹｕ＋１に、電話番号を格納する（ステップＳ４０９）。３以上の電話番号を登録する場合には（ステップＳ４１０、ＹＥＳ）、ステップＳ４０７からの処理の繰り返す。追加の電話番号がない場合には、ステップＳ４０５の処理に移行する。
【００５４】
すでに登録してある名前に対して、電話番号を追加する場合、たとえば、“Ｓａｔｏ”に対して、電話番号が２件登録されており、“Ｔａｎａｋａ”に対して、１件電話番号が登録されている状態で、“Ｓａｔｏ”に対して、３件目の電話番号を追加等録する場合を考える。この場合、“Ｓａｔｏ”に対する次データアドレスのエンドコードをサーチし、この次データアドレスに対して、空きのアドレスを登録する。たとえば、アドレスＹｎ−２が空きの場合には、電話番号アドレスＹ２の次データアドレスにＹｎ−２を登録する。すなわち、電話番号アドレスＹ２の次データアドレスを、エンドコート“−”から“Ｙｎ−２”に変更する。
【００５５】
ただし、必ずしも空きのアドレスを設定する必要はなく、アドレスＹ３以降を順番にずらし、アドレスＹ３に新たな電話番号を登録することも可能である。この場合、同一名前に対する電話番号は連続して格納されることになる。
【００５６】
図１３は、本発明の他の好適なメモリ使用状況を示している。
【００５７】
図１３において、各アドレス３１には、名前もしくは、電話番号の情報３３が格納されている。フラグ情報３２は、このアドレスに格納されている情報が名前であるか電話番号であるかを示すものである。例えば、フラグ情報が「１」であれば、名前を示し、「０」であれば、電話番号を示している。
【００５８】
アドレス２および３は、「佐藤」に対応する２つの電話番号を格納し、アドレス５は、「田中」に対応する１つの電話番号を格納し、アドレス７乃至９には、「鈴木」に対応する３つの電話番号が格納されている。
【００５９】
これらの名前が新規に登録される場合には、まず、名前を空いている最初のアドレスに格納し、続いて入力される電話番号を次のアドレスに格納する。例えば、全くメモリの中が空の状態で、新規に「佐藤」を登録する場合には、アドレス１に「佐藤」がフラグ情報を「１」として格納され、続いて入力される電話番号をフラグ情報を「０」としてアドレス２および３に格納する。次に、「田中」を登録する場合には、空いているアドレス４に格納し、電話番号をアドレス５に格納する。同様に、「鈴木」について、アドレス６に格納し、対応する電話番号をアドレス７乃至９に格納する。
【００６０】
このような状態で、「佐藤」に対して全く新たな第３の電話番号を登録する場合には、「佐藤」が表示された状態で、新たな第３の電話番号を入力して登録処理を行うことにより、アドレス４移行のデータがアドレス５移行に格納され、空いたアドレス４に新たな第３の電話番号を格納する。
【００６１】
一方、上述の移行を行わない場合には、図１４に示すように、次データアドレスを設定し、連続するデータの紐付けを行う。したがって、「佐藤」に対して２つの電話番号が登録されている状態で、あらたに３番目の電話番号を登録する場合、空きのアドレス“１０”に新たな電話番号が登録され、アドレス３のエンドコード“−”がアドレス１０に変更される。
【００６２】
なお、メモリダイヤル等を利用する際に、名前をスクロールさせる場合には、フラグ情報が「１」であるアドレスを順次読出し、この状態で、対応する複数の電話番号（次にフラグ情報が「１」となるまでの電話番号）を表示部に一度に表示させることができる。一度に全ての電話番号を表示できない場合には、電話番号のスクロールを実行させることにより、名前でなく、電話番号をスクロールさせる。例えば、コールボタン１６が押下されると、１番目の名前「佐藤」が表示され、テンキーの「１」または「３」を押下することにより、順方向または逆方向に名前（フラグ情報「１」を有する情報）をスクロール表示させることができる。一方、名前が表示された状態で、１つの電話番号しか表示できない場合には、テンキーの「４」または「６」を押下することにより、該名前に対応する電話番号を順方向または逆方向にスクロール表示させることができる。すなわち、「鈴木」および電話番号「０７０７７７７７７７」が表示されている状態で、テンキー「４」が押下されると、次のアドレス８に格納された電話番号「０７０９９９９９９９」が表示される。この操作は、フラグ情報が「１」となるまでのアドレスにおいて実行される。
【００６３】
この実施例の場合にも、図３に示した従来例に比べ、アドレスａ２、ａ３、ｃ３のような空きをつくることがないので、メモリを有効利用することが可能となる。
また、図１５に示すように、従来同様、各電話番号に対して重複して名前を格納する場合でも、図３の従来例のような空きが不要となるので、メモリの有効利用を図ることができる。
【００６４】
さらに、図6に示されるように名前ＡとＢとがあるが、重複して同じ名前に対して、登録されている場合に、名前を統合して１つにすることについて、以下に説明する。たとえば、名前Ａとして、「佐藤」が登録されている状態で、新たな電話番号を登録する際に、新規に名前「佐藤」と電話番号を登録した場合、佐藤という名前が2つ登録され、各々の名前に対して個別の電話番号が登録されることになる。この場合、この事実に気づいた時に、名前を統合し、1つの名前「佐藤」に対して、容易にすべての電話番号を関連付ける事ができることが望まれる。
【００６５】
すなわち、図6の名前ＡおよびＢが同一人物である場合に、図１６に示されるように、名前Ａに付随したアドレスＡ１〜ＡＭと、名前Ｂに付随したアドレスＢ１〜ＢＬとを統合し、名前Ａに対して、アドレスＡ１〜ＡＭおよびＢ１〜ＢＬとが関連付けられる。
【００６６】
図１７は、統合を実現するための、キー操作部５‘を示すものであり、図４に示したキー操作部５に対応する。また、キー操作部５’は、図５に示したキー操作部５に配されるボタン群１１乃至１６に加え、統合ボタン１７を有することを特徴とする。
コールボタン１６の操作により、メモリに登録されている名前が表示される。名前が表示されている状態で、統合ボタン１７を押下すると、表示されている名前が統合される先の名前と判断される。そして、さらに、コールボタン１６の操作により、統合される後の名前を選択し、統合ボタン１７の操作により、統合される後の名前に付随した電話番号を統合される先の名前に関連付けて登録する。
【００６７】
コールキー１６が押下されると、メモリに登録されている名前が表示され（ステップＳ５０１）、コールキー１６の押下の繰り返しにより、表示される名前が順次スクロールされる。統合したい名前が表示された状態で、統合ボタン１７が押下されると（ステップＳ５０２、ＹＥＳ）、制御部は、表示されている名前が統合先の名前であると判断する。この状態で、さらに、コールキー１６が押下されると、表示される名前が再度スクロールされ、統合先の名前に統合したい名前が表示された時点で、統合キーが押下されると（ステップＳ５０５、ＹＥＳ）、さらに統合される名前があると判断され、ステップＳ５０４の処理に移行する。一方、ステップＳ５０２の統合ボタンの押下に続くコールキー１６の押下（ステップＳ５０４）により、統合される名前が表示さた状態で、メモリキー１５が押下されると、メモリ統合が実行される（ステップＳ５０６）。すなわち、アドレスＡＭにおいて、次の後続するアドレスとしてＢ１が登録されることになる。
【００６８】
なお、統合キー１７は、他のキーと兼用可能である。たとえば、特殊キー１４を長押しすることにより、統合キー操作と同様にすることも可能であり、他のキーも同様である。
【００６９】
また、図１１および１３乃至１５についても、同様である。
さらに、異なる名前であっても、統合操作が行われると、統合処理は行われる。たとえば、“エリザベス”という名前で１つの電話番号を登録している状態で、“エリザベス”の愛称である“リズ”で新たな１つの電話番号を登録した場合を考える。使用者は後から、両者を１つにしたいと思った時、統合処理を実行することが可能である。すなわち、先に“エリザベス”を読み出し、後から“ベス”を読み出して統合させれば、“エリザベス”に関連して２つの電話番号が登録されることになる。逆の順番で操作を行えば、“リズ”の名前で統合されることになる。
【００７０】
図１３の例で説明すると、アドレス１の佐藤にアドレス４の田中を統合する場合には、アドレス４の田中が消去され、アドレス５以降のデータがアドレス４以降にスライドすることになる。
【００７１】
【発明の効果】
以上説明したように、本願発明では、名前と電話番号とを一対の情報として登録された情報を検索する場合に、検索したい名前もしくはその名前の識別情報を入力し、登録された情報内に一致するものがあると、同一名前もしくは同一識別情報に対して名前もしくは識別情報を１つの表示して複数の電話番号を表示することにより、使用者に対して、認識しやすくし、操作性や利便性を向上させることが可能となる。
また、本願発明では、登録済みの複数の名前を１つに統合して、個々の名前に対応して登録されている電話番号を１つの名前に対応して登録させることが可能となる。
【図面の簡単な説明】
【図１】従来の技術を説明するための図である。
【図２】図２（ａ）および（ｂ）は従来のメモリ内の格納状態を説明するための図である。
【図３】従来のメモリ内の格納状態を説明するための概念図である。
【図４】本発明の好適な一実施例の構成ブロック図である。
【図５】図４に示したキー操作部の好適な一実施例を示す構成図である。
【図６】図４に示したＲＡＭ内の好適な一実施例の格納パターンを示す図である。
【図７】本発明の好適な一実施例の登録動作を説明するためのフローチャートである。
【図８】本発明の好適な一実施例の登録動作を説明するためのフローチャートである。
【図９】本発明の好適な一実施例の登録動作を説明するためのフローチャートである。
【図１０】本発明のメモリ効率を説明するための図である。
【図１１】図１１（ａ）および（ｂ）は、好適な格納パターンを示す図である。
【図１２】制御部における格納制御を示す動作フローチャートである。
【図１３】図４に示したＲＡＭ内の好適な他の実施例の格納パターンを示す図である。
【図１４】図４に示したＲＡＭ内の好適な他の実施例の格納パターンを示す図である。
【図１５】図４に示したＲＡＭ内の好適なさらに他の実施例の格納パターンを示す図である。
【図１６】図４に示したＲＡＭ内の好適なさらに他の実施例の格納パターンを示す図である。
【図１７】キー操作部の他の好適な実施例を示す図である。
【図１８】本発明の好適な他の登録動作を説明するための動作フローチャートである。
【符号の説明】
１    無線部
２    制御部
３    ＲＯＭ
４    スピーカ
５    キー操作部
６    送受話部
７    ＲＡＭ
８    表示部
【図１】
0003686800.tif 000002
【図２】
0003686800.tif 000003
【図３】
0003686800.tif 000004
【図４】
0003686800.tif 000005
【図５】
0003686800.tif 000006
【図６】
0003686800.tif 000007
【図７】
0003686800.tif 000008
【図８】
0003686800.tif 000009
【図９】
0003686800.tif 000010
【図１０】
0003686800.tif 000011
【図１１】
0003686800.tif 000012
【図１２】
0003686800.tif 000013
【図１３】
0003686800.tif 000014
【図１４】
0003686800.tif 000015
【図１５】
0003686800.tif 000016
【図１６】
0003686800.tif 000017
【図１７】
0003686800.tif 000018
【図１８】
0003686800.tif 000019